(57)【要約】【課題】  速やかな減衰効果により電磁接触器のチャタリングや不要動作発生の恐れを低減する電磁開閉器の防振対策を提供すること。【解決手段】  収納箱の内部に可動鉄心を有する電磁接触器を載置した機器取付基板の収容箱において、電磁接触器の可動鉄心の移動方向の機器取付基板と収納箱内面の空間に第一防振機構、電磁接触器の可動鉄心の移動方向と垂直方向の機器取付基板と収納箱内面の空間に第二防振機構を設け、第一防振機構は、電子接触機の開閉の水平方向の振動を吸収し、第二防振機構は、電磁接触機を設置した機器取付基板の荷重を支えながら、振動を吸収することを特徴とする電磁接触器収納箱。【選択図】  図１
2010170932.tif 000002
【特許請求の範囲】
【請求項１】
収納箱の内部に可動鉄心を有する電磁接触器を載置した機器取付基板の収容箱において、電磁接触器の可動鉄心の移動方向の機器取付基板と収納箱内面の空間に第一防振機構、電磁接触器の可動鉄心の移動方向と垂直方向の機器取付基板と収納箱内面の空間に第二防振機構を設け、第一防振機構は、電子接触機の開閉の水平方向の振動を吸収し、第二防振機構は、電磁接触機を設置した機器取付基板の荷重を支えながら、振動を吸収することを特徴とする電磁接触器収納箱。
【請求項２】
前記第一防振機構は、衝撃吸収性に優れた弾性体で構成し前記第二防振機構は、耐荷重性と振動減衰性に優れた弾性体で構成したことを特徴とする請求項１の電磁接触器収納箱。
【請求項３】
前記第一防振機構は円筒形状の圧縮コイルばね、前記第二防振機構はゴム弾性体で構成したことを特徴とする請求項１の電磁接触器収納箱。
【請求項４】
前記、第二防振機構はＵ字状の直線レールで、当該レールの側面と底面をゴム弾性としたことを特徴とする請求項１の電磁接触器収納箱。
【発明の詳細な説明】
【技術分野】
【０００１】
本発明は電磁力により電気回路の開閉を行う電磁接触器を収納する箱に関するものである。
【背景技術】
【０００２】
従来、電磁接触器の収納箱は振動伝播を防ぐため、収納箱と電磁接触器の間に防振対策が講じられてきた。このような防振対策の一例を図９により説明する。
【先行技術文献】
【非特許文献】
【０００３】
実開昭５９−１３６１４３
【発明の概要】
【発明が解決しようとする課題】
【０００４】
壁面９１に取り付けられた背板９３と、電磁接触器９４が取り付けられた機器取付基板９５との間に設けられる電磁接触器９４の防振対策として、一端が背板９３に固定されるとともに他端が機器取付基板９５に固定された板ばね９７と、一方の他端が背板９３に当接し、他方の一端が背板９３に取り付けられた案内ピン９８に保持されているとともにそれぞれの他端が機器取付基板９５を挟持して支持している２個のコイルばね９９とから構成されていた。これにより電磁接触器９６の振動が壁面９１に伝播しないようになっている。
【０００５】
しかしながら板ばね９７またはコイルばね９９を用いたこれらの防振対策は耐久性に富むものの電磁接触器の重量を支えるために強力な板ばね９７を用いる必要があるため瞬間的な衝撃吸収効果および減衰効果が低く、電磁接触器９６の振動が収束するまでに時間を要し、振動による騒音が数秒の間継続する原因となっていた。また振動が継続することにより電磁接触器のチャタリングや不要動作を発生させる恐れがあるという課題を有していた。
【０００６】
本発明は上記問題点を解消し、耐久性を維持しながら電磁接触器の振動を効率的に吸収しつつ、電磁接触器の振動を速やかに減衰させることのできる収納箱を提供することを目的とする。
【課題を解決するための手段】
【０００７】
上記課題を解決するために、請求項１の発明においては、収納箱の内部に可動鉄心を有する電磁接触器を載置した機器取付基板の収納箱において、電磁接触器の可動鉄心の移動方向の機器取付基板と収納箱内面の空間に第一防振機構、電磁接触器の可動鉄心の移動方向と垂直方向の機器取付基板と収納箱内面の空間に第二防振機構を設けた。
【０００８】
また、請求項２の発明においては、第一防振機構は、衝撃吸収性に優れた弾性体で構成し前記第二防振機構は、耐荷重性と振動減衰性に優れた弾性体で構成した。
【０００９】
また、請求項３の発明においては、前記第一防振機構は円筒形状の圧縮コイルばね、前記第二防振機構はゴム状弾性体で構成した。
【００１０】
また、請求項４の発明においては前記第二防振機構はＵ字状の直線レールで、当該レールの側面と底面をゴム弾性とした。
【発明の効果】
【００１１】
上記の発明によれば、電磁接触器の作動により電磁接触器の可動鉄心の移動方向と同方向に生じた衝撃の第一波はまず圧縮コイルばねで吸収する。第一波の応力により衝撃吸収性に優れた弾性体は伸縮を伴う振動が残留するが、その振動はゴム状弾性体により速やかに減衰することが可能であり、振動による騒音を速やかに収束させることが可能である。
【００１２】
さらに振動を速やかに減衰させることが可能になることにより、電磁接触器のチャタリングや不要動作を防止することが可能となる。
【００１３】
さらにせん断方向の減衰性および圧縮方向の耐久性に優れるがせん断方向の耐久性に劣るゴム状弾性体を電磁接触器の鉄心移動方向と垂直な方向にのみ配置し、減衰性能に劣るが耐久性や衝撃吸収性に優れる圧縮コイルばねを電磁接触器の鉄心移動方向と同方向に配置することで、圧縮コイルばねの耐久性や衝撃吸収性を維持したまま、減衰力に劣るという欠点を解消することが可能となる。
【００１４】
さらに圧縮コイルばねは電磁接触器の重量を支える必要がないためより衝撃吸収性の高い、柔らかい圧縮コイルばねを使用することができるためより衝撃吸収効果を高めることができる。
【図面の簡単な説明】
【００１５】
【図１】本発明の実施の形態１の分解斜視図。
【図２】本発明の実施の形態１の側断面図。
【図３】本発明の実施の形態１のゴム状防振機構の斜視図。
【図４】本発明の実施の形態１および実施の形態２の圧縮コイルばねの斜視図。
【図５】本発明の実施の形態２の分解斜視図。
【図６】本発明の実施の形態２の側断面図。
【図７】本発明の実施の形態２の直線レールの斜視図。
【図８】本発明の実施の形態２の直線レールおよびゴム状弾性体の側断面斜視図。
【図９】従来の電磁接触器を箱に組込んだ際の斜視図。
【発明を実施するための形態】
【００１６】
以下に、本発明の電磁接触器収納箱の実施の形態について図面を参照しながら説明する。なお、この実施の形態によって本発明が限定されるものではない。
【実施例１】
【００１７】
本発明の第１の実施の形態における電磁接触器収納箱は、扉１を有する収納箱２の扉１に相対する面の４隅に近い位置に２箇所の防振機構取り付け部３を設ける。４箇所の防振機構取り付け部３のうち、重力方向に対し電磁接触器より上方に位置する２個所は扉１に対して垂直な方向に垂直めねじ穴４を持ち、残る２個所は扉１に対して平行な方向に平行めねじ穴５を設ける。
【００１８】
ゴム状防振機構６は図３に示すように円柱状の合成ゴム６ａの両端におねじ６ｂを接着したものであり、圧縮コイルばね７は図４に示すように円柱状のコイルばね７ａの両端におねじスタッド７ｂを接着したものである。
【００１９】
機器取付基板８は鋼板をＬ字形状に曲げて形成し、板の４隅に近い位置におねじ６ｂおよびおねじスタッド７ｂを挿通する丸穴９を設ける。さらに板の中央部には電磁接触器１０の止め部１１に対応するめねじ穴１２を設け、電磁接触器１０を載置してねじを用いて電磁接触器１０を機器取付基板８へ固定する。
【００２０】
各々の平行めねじ穴５へはゴム状防振機構６のおねじ６ｂをねじ込み固定し、各々の垂直めねじ穴４へは圧縮コイルばね７のおねじスタッド７ｂをねじ込み固定する。
【００２１】
各々のゴム状防振機構６の残るおねじ６ｂおよび各々のばね状防振機構７の残るおねじスタッド７ｂを機器取付基板の丸穴９へ挿通し、ナット１４により固定を行う。
【実施例２】
【００２２】
本発明の第２の実施の形態における電磁接触器収納箱は、図５に示すように、扉1を有する収納箱２の扉1に相対する面と垂直な、かつ重力方向に対し垂直な、かつ箱の面もうち最も地面に近い面１ａに断面形状がＵ字状の直線レール１５を設ける。直線レール１５の開口部分１５ａは面１ａと相対する方向を向いて設けられている。
【００２３】
直線レール１５の内側面１５ｂには図７に示すように、直方体形状のゴム状弾性体１６を水平方向の２つの側面と底面に貼付する。なお、相対するゴム状弾性体１６同士の間隔は図８に示すように機器取付基板８が隙間なく挿入できる隙間１７を持つ。
【００２４】
さらに扉１を有する収納箱２の扉１に相対する面の、直線レールから離れた２隅に近い位置には扉１に対して垂直な方向に垂直めねじ穴４を持つ防振機構取り付け部３を設ける。
【００２５】
防振機構取り付け部３の垂直めねじ穴４には圧縮コイルばね７のおねじスタッド７ｂをねじ込み固定する。
【００２６】
機器取付基板８は２隅に近い位置におねじスタッド７ｂを挿通する丸穴９を設ける。さらに板の中央部には電磁接触器１０の止め部１１に対応するめねじ穴１２を設け、電磁接触器１０を載置して電磁接触器止めねじ１３を用いて電磁接触器１０を機器取付基板８へ固定する。
【００２７】
機器取付基板の２つの丸穴４より最も遠い辺８ａを隙間１７へ挿入し、おねじスタッド７ｂを２つの丸穴へ挿通し、ナット１４により固定を行う。
【符号の説明】
【００２８】
１  扉
１ａ  面
２  収納箱
３  防振機構取り付け部
４  垂直めねじ穴
５  平行めねじ穴
６  ゴム状防振機構
６ａ  合成ゴム
６ｂ  おねじ
７  圧縮コイルばね
７ａ  コイルばね
７ｂ  おねじスタッド
８  機器取付基板
８ａ  辺
９  丸穴
１０  電磁接触器
１１  止め部
１２  めねじ穴
１４  ナット
１５  直線レール
１５ａ  開口部分
１５ｂ  内側面
１６  ゴム状弾性体
１７  隙間
９１  壁面
９３  背板
９４  電磁接触器
９５  機器取付基板
９７  板ばね
９８  案内ピン
９９  コイルばね
【図１】
2010170932.tif 000003
【図２】
2010170932.tif 000004
【図３】
2010170932.tif 000005
【図４】
2010170932.tif 000006
【図５】
2010170932.tif 000007
【図６】
2010170932.tif 000008
【図７】
2010170932.tif 000009
【図８】
2010170932.tif 000010
【図９】
2010170932.tif 000011